(57)【要約】      （修正有）【課題】確実に自立することができるようにしたピロー包装体及びサイドガセット付き包装袋を提供する。【解決手段】本ピロー包装体は、長手方向に沿って形成される所定幅の襞部を幅方向に所定間隔を有して複数備えるピロー包装用原反を用い、各襞部が角に位置して柱状部１２となるようにピロー包装されて形成される本体部１０を備えている。この本体部の柱状部と柱状部との間に正面部１３、背面部１４、一対の側面部１５，１５が設けられるとともに、正面部、背面部及び一対の側面部に隣接して底面部１６が設けられ、一対の柱状部の間で正面部と底面部との境界及び背面部と底面部との境界に外向きに突出して折り返され、かつ、裏面同士を重ね合わせた鍔状部１７が設けられている。【選択図】図１
2009132413.tif 000002
【特許請求の範囲】
【請求項１】
長手方向に沿って形成される所定幅の襞部を幅方向に所定間隔を有して複数備えるピロー包装用原反を用い、該各襞部が角に位置して柱状部となるようにピロー包装されて形成される本体を備え、該本体の柱状部と柱状部との間に正面部、背面部、一対の側面部が設けられるとともに、正面部、背面部及び一対の側面部に隣接して底面部が設けられ、一対の柱状部の間で正面部と底面部との境界及び／又は背面部と底面部との境界に外向きに突出して折り返され、かつ、裏面同士を重ね合わせた鍔状部が設けられていることを特徴とするピロー包装体。
【請求項２】
前記鍔状部は、重ね合わされた裏面同士がシールされていることを特徴とする請求項１に記載のピロー包装体。
【請求項３】
前記本体は、角と角との間の位置において、ピロー包装用原反の両側端部の裏面同士、あるいは裏面と表面とが長手方向に沿って所定幅でシールされていることを特徴とする請求項１又は２に記載のピロー包装体。
【請求項４】
前記本体は、角の一つとなる位置において、ピロー包装用原反の両側端部の裏面同士が柱状部の一つとなるように長手方向に沿って所定幅でシールされていることを特徴とする請求項１又は２に記載のピロー包装体。
【請求項５】
前記襞部は、ピロー包装用原反となるシートの所定箇所が裏面で所定幅で重ね合わされるとともに、該重ね合わされた裏面同士がシールされていることを特徴とする請求項１から４のいずれか１項に記載のピロー包装体。
【請求項６】
四隅にそれぞれ所定幅の柱状部を有する本体を備え、該本体の柱状部と柱状部との間に正面部、背面部、一対の側面部が設けられるとともに、正面部、背面部及び一対の側面部に隣接して底面部が設けられ、一対の柱状部の間で正面部と底面部との境界及び／又は背面部と底面部との境界に外向きに突出して折り返され、かつ、裏面同士を重ね合わせた鍔状部が設けられていることを特徴とするサイドガセット付き包装袋。
【請求項７】
前記鍔状部は、重ね合わされた裏面同士がシールされていることを特徴とする請求項６に記載のサイドガセット付き包装袋。
【発明の詳細な説明】
【技術分野】
【０００１】
本発明は、食品や日用品などの被包装物をピロー包装によって包装したピロー包装体及び正面部、背面部、一対の側面部、そして底面部を有するサイドガセット付き包装袋に関する。
【背景技術】
【０００２】
おにぎりやパンなどの食品、あるいは日用品などの被包装物を包装するためのものとして、自立する有底筒状のサイドガセット付き包装袋が提供されている。この包装袋は、正面部、背面部、一対の側面部（サイドガセット）、そして底面部を有し、上端部が開口されている。このような包装袋の内部に被包装物が収納され、開口されていた上端部が封止されると、自立する包装体となる。
【０００３】
なお、正面部と側面部との境界及び背面部と側面部の境界の裏面同士が重なり合うように襞状に折り返してシール（ヘムシール）することによって４本の柱状部を形成したガセット袋が特許文献１に開示されている。柱状部が形成されることにより、ガセット袋の形状保持性が効果的に補完される。
【０００４】
【特許文献１】特許第３８５０４２４号公報
【発明の開示】
【発明が解決しようとする課題】
【０００５】
サイドガセット付き包装袋は、四角形のシートの両側部が重なり合ってシールされ、角筒状に折り曲げられるとともに、一端縁から所定のラインで内側に折り曲げられることにより、正面部、背面部、一対の側面部、そして底面部が形成される。しかし、底面部と正面部、背面部、一対の側面部との境界に折り目が付けられていないことから、さらに、４本の柱状部が設けられたガセット袋にあっては柱状部によっても、シートに平坦な状態に戻ろうとする作用が生じ、底面部が立ち上がろうとする。
【０００６】
底面部が立ち上がろうとしても、通常は、包装された被包装物の自重によって底面部が押圧される。しかし、サイドガセット付き包装袋は、不安定な状態で自立し、また、被包装物が軽量であると、自立していた包装体が傾倒することもある。自立して陳列されていた包装体が傾倒すると、消費者に対する視覚的効果が半減されてしまう。
【０００７】
そこで、本発明は、確実に自立することができるようにしたピロー包装体及びサイドガセット付き包装袋を提供することを課題とする。
【課題を解決するための手段】
【０００８】
本発明に係るピロー包装体は、長手方向に沿って形成される所定幅の襞部を幅方向に所定間隔を有して複数備えるピロー包装用原反を用い、該各襞部が角に位置して柱状部となるようにピロー包装されて形成される本体を備え、該本体の柱状部と柱状部との間に正面部、背面部、一対の側面部が設けられるとともに、正面部、背面部及び一対の側面部に隣接して底面部が設けられ、一対の柱状部の間で正面部と底面部との境界及び／又は背面部と底面部との境界に外向きに突出して折り返され、かつ、裏面同士を重ね合わせた鍔状部が設けられていることを特徴としている。
【０００９】
このピロー包装体によれば、柱状部が設けられることにより、柱状部と柱状部との間に側面部との境界を明確にした正面部及び背面部が形成され、そして、一対の柱状部の間で正面部と底面部との境界及び／又は背面部と底面部との境界に外向きに突出した鍔状部が設けられることにより、自立したピロー包装体は、傾倒させようとする力加えられても、鍔状部が支えとなって傾倒することなく自立した姿勢を維持する。また、鍔状部は、外向きに突出して折り返され、かつ、裏面同士が重ね合わされたものとされることにより、折り癖が付けられた状態とされ、底面部には立ち上がろうとする作用が生じない。なお、襞部を幅方向に所定間隔を有しているとは、ピロー包装して例えば角筒状の本体を形成した際、各襞部が本体の角に位置するような間隔であることを意味している。
【００１０】
また、前記本発明に係るピロー包装体において、前記鍔状部は、重ね合わされた裏面同士がシールされていることが好ましい。このピロー包装体によれば、鍔状部が重ね合わされた裏面同士をシールしたものとしたことにより、鍔状部が補強され、変形しにくくなり、ピロー包装体の自立性を向上させることができる。
【００１１】
また、前記本発明に係るピロー包装体において、前記本体は、角と角との間の位置において、ピロー包装用原反の両側端部の裏面同士、あるいは裏面と表面とが長手方向に沿って所定幅でシールされていることが好ましい。このピロー包装体によれば、ピロー包装用原反の両側端部の裏面同士、あるいは裏面と表面とが長手方向に沿って所定幅でシールされることにより、例えば本体のシールされた背貼り代が背面部の中心線上に位置し、ピロー包装体に形成された各襞部が各角に位置して柱状部となる。
【００１２】
また、前記本発明に係るピロー包装体において、前記本体は、角の一つとなる位置において、ピロー包装用原反の両側端部の裏面同士が柱状部の一つとなるように長手方向に沿って所定幅でシールされていてもよい。このピロー包装体によれば、角の一つとなる位置において、ピロー包装用原反の両側端部の裏面同士が柱状部の一つとなることにより、背貼り代のない本体が形成され、シールされたピロー包装用原反の両側端部が本体の一つの柱状部となり、ピロー包装用原反の３本の襞部が他の３本の本体の柱状部となる。
【００１３】
また、前記本発明に係るピロー包装体において、前記襞部は、ピロー包装用原反となるシートの所定箇所が裏面で所定幅で重ね合わされるとともに、該重ね合わされた裏面同士がシールされていることが好ましい。このピロー包装体によれば、襞部がシールされることにより、柱状部はエッジがすっきりとした形状となり、包装体として良好な外観と剛性を有するものとすることができる。
【００１４】
また、本発明に係るサイドガセット付き包装袋は、四隅にそれぞれ所定幅の柱状部を有する本体を備え、該本体の柱状部と柱状部との間に正面部、背面部、一対の側面部が設けられるとともに、正面部、背面部及び一対の側面部に隣接して底面部が設けられ、一対の柱状部の間で正面部と底面部との境界及び／又は背面部と底面部との境界に外向きに突出して折り返され、かつ、裏面同士を重ね合わせた鍔状部が設けられていることを特徴としている。
【００１５】
このサイドガセット付き包装袋によれば、柱状部と柱状部との間に側面部との境界を明確にした正面部及び背面部が形成され、そして、一対の柱状部の間で正面部と底面部との境界及び／又は背面部と底面部との境界に外向きに突出した鍔状部が設けられることにより、自立したサイドガセット付き包装体は、傾倒させようとする力が加えられも、鍔状部が支えとなって傾倒することなく自立した姿勢を維持する。また、鍔状部は、外向きに突出して折り返され、かつ、裏面同士が重ね合わされたものとされることにより、折り癖が付けられた状態とされ、底面部には立ち上がろうとする作用が生じない。
【００１６】
また、前記本発明に係るサイドガセット付き包装袋において、前記鍔状部は、重ね合わされた裏面同士がシールされていることが好ましい。このサイドガセット付き包装袋によれば、鍔状部が重ね合わされた裏面同士をシールしたものとしたことにより、鍔状部が補強され、変形しにくくなり、サイドガセット付き包装袋の自立性を向上させることができる。
【発明の効果】
【００１７】
本発明によれば、ピロー包装体もサイドガセット付き包装袋も、正面部と底面部との境界及び／又は背面部と底面部との境界に外向きに突出した鍔状部が一対の柱状部間に設けられていることにより、安定した姿勢で自立するようにすることができるため、良好な状態で陳列させることができる。
【発明を実施するための最良の形態】
【００１８】
〔第１の実施形態〕
本発明に係るピロー包装体の実施形態（第１の実施形態）について図１ないし図５を参照しながら説明する。このピロー包装体は、図１に示すように、有底角筒状の本体１０内におにぎりなどの被包装物Ａを包装し、開口された上端部１１をシールしたものである。本体１０は、各隅に柱状部１２，１２，…が設けられ、柱状部１２と柱状部１２との間に正面部１３、背面部１４、一対の側面部（サイドガセット）１５，１５が設けられるとともに、正面部１３、背面部１４及び一対の側面部１５，１５に隣接して、底面部１６が設けられている。そして、このピロー包装体は、一対の柱状部１２，１２の間で正面部１３と底面部１６との境界及び背面部１４と底面部１６との境界に外向きに突出した鍔状部１７を設けたことを特徴としている。
【００１９】
このようなピロー包装体は、図４に示すようなピロー包装用原反１００から製袋される。このピロー包装用原反１００は、長尺なシート１０１に４本の襞部１１０，１１０，…が長手方向に沿って所定幅で所定間隔を有して設けたものである。
【００２０】
各襞部１１０は、シート１０１をＺ字状に折り込み、平坦外面１１１と折込内面１１２を有する折込部１１３によって形成される。折込部１１３の重なり合っている平坦外面１１１と折込内面１１２とは、シールされることにより、製袋されたピロー包装体の柱状部１２のエッジをすっきりとしたシャープな形状とすることができる。ただし、平坦外面１１１と折込内面１１２とは、シールせず、単に重なり合わされたままとしてもよい。いずれにしても、平坦外面１１１と折込内面１１２との境界である折込部１１３のエッジは、外向きとされている。
【００２１】
このようなピロー包装用原反１００を使用して、被包装物Ａをピロー包装する。すなわち、ピロー包装機（図示せず）によってピロー包装用原反１００が繰り出され、ピロー包装用原反１００の両側端部１０２，１０２の裏面同士、あるいは裏面と表面とが長手方向に沿って所定幅でシールされ、図５（ａ）に示すように背貼り代１０３を有する角筒状のピロー包装用原反１００が形成され、同時にピロー包装用原反１００の内部に被包装物Ａが収納される。
【００２２】
この角筒状のピロー包装用原反１００の４本の襞部１１０，１１０，…が４つの角に位置する。ただし、シート１０１に３本の襞部１１０，１１０，…を長手方向に設けたピロー包装用原反１００（図示せず）の両側端部１０２，１０２の裏面同士を所定幅でシールし、このシールされた両側端部１０２，１０２が図５（ｂ）に示すように、ピロー包装用原反１００の角の一つの位置となり、３本の襞部１１０，１１０，…が３つの角に位置するようにしてもよい。
【００２３】
いずれにしても、ピロー包装用原反１００は、幅方向にシールされることによって封止部が設けられ、被包装物Ａが密封される。そして、一方の封止部から被包装物Ａの厚さの半分の長さのラインでシート１０１を離間することにより、封止部と正面部１３との間、封止部と背面部１４との間、そして封止部と側面部１５，１５との間に底面部１６を設けたピロー包装体の原型が製袋される。
【００２４】
ピロー包装体の原型は、ピロー包装用原反１００が封止部で切断されていない状態であり、この状態において、一対の柱状部１２，１２の間で正面部１３と底面部１６との境界及び背面部１４と底面部１６との境界に鍔状部１７が設けられる。この鍔状部１７は、シート１０１を外向きに突出して折り返し、裏面同士が重ね合わされ、この裏面同士がシールされることにより、剛性を大きくし、変形しにくいようにされている。ただし、鍔状部１７は、シールしないで単に折り癖が付けられただけとしてもよい。
【００２５】
このようなピロー包装用原反１００が封止部で切断されることにより、図１に示すような封止部を下端部１８としたピロー包装体が完成する。ただし、ピロー包装体は、図２及び図３に示すように、一対の柱状部１２，１２の間で正面部１３と底面部１６との境界にのみ鍔状部１７が設けられ、背面部１４と底面部１６との境界に鍔状部１７が設けられないようにしてもよい。図２に示したピロー包装体は、下端部１８が底面に位置している。また、図３に示したピロー包装体は、下端部１８が背面部１４に位置しており、この場合の鍔状部１７は、例えば下端部１８から被包装物Ａの幅以上のラインに設けられる。
【００２６】
いずれにしても、ピロー包装用原反１００の襞部１１０がピロー包装体の柱状部１２となる。したがって、ピロー包装用原反１００の襞部１１０の幅方向の所定間隔は、ピロー包装体の本体１０の角に位置する間隔である。そして、４本の襞部１１０から４本の柱状部１２，１２，…が設けられる場合のピロー包装体は、背面部１４の中心線上に背貼り代が位置し、ピロー包装用原反１００の裏面同士が一つの柱状部１２となり、３本の襞部１１０が３本の柱状部１２となる場合のピロー包装体は、背貼り代が設けられない。
【００２７】
なお、いずれのピロー包装体も、正面部１３と背面部１４との間隔が被包装物Ａの厚さと一致していることが好ましいが（図面では見やすくするため広く描いてある。）、被包装物Ａが内部で動き回らない程度に幅広にされ、逆に被包装物Ａを潰さない程度に狭くされてもよい。また、上端側の封止部は、図示したように上向きとされるほか、背面部１４側に折り返してもよい。
【００２８】
いずれにしても、被包装物Ａを包装したピロー包装体は、自立して陳列される。このピロー包装体は、外向きに突出した鍔状部１７が設けられていることにより、押し倒すような力が生じても、鍔状部１７が支えとなり、また、底面部１６が立ち上がろうとする作用が生じないことにより、傾倒することなく自立し続ける。
【００２９】
〔第２の実施形態〕
本発明に係るサイドガセット付き包装袋の実施形態（第２の実施形態）について、図６及び図７を参照しながら説明する。このサイドガセット付き包装袋は、第１の実施形態と同様、有底角筒状の本体２０の四隅に所定幅の柱状部２２，２２…を有し、この柱状部２２と柱状部２２との間に正面部２３、背面部２４及び一対の側面部２５，２５が設けられるとともに、正面部２３、背面部２４及び一対の側面部２５，２５に隣接して底面部２６が設けられ、一対の柱状部２２，２２の間で正面部２３と底面部２６との境界及び背面部２４と底面部２６との境界に外向きに突出した鍔状部２７が設けられたことを特徴としている。なお、鍔状部２７は、図示しないが、第１の実施形態と同様、正面部２３と底面部２６との境界にのみ設け、背面部２４と底面部２６との境界に設けないようにしてもよい。
【００３０】
いずれにしても、このサイドガセット付き包装袋は、第１の実施形態と異なり、ピロー包装用原反１００から製袋されず、本体２０の幅及び長さを有する四角形状のシート１を角筒状に成形して製袋される。この場合も、シート１の両端部の裏面同士がシールされた背貼り代が背面部２４の中心線上に位置するようにしてもよいし（図５（ａ）と同様の形態となる。）、シート１の両端部の裏面同士がシールされ、角に位置するようにしてもよい（図５（ｂ）と同様の形態となる）。あるいは、サイドガセット付き包装袋は、図７に示すような４枚、図示しない２枚又は３枚のシート１，１，…の各側部をシールすることによって製袋してもよい。
【００３１】
いずれにしても、ピロー包装用原反１００から製袋されないサイドガセット付き包装袋の底面部２６は、シート１の裏面同士が重ね合わされてシールされ、あるいは、いわゆるキャラメル貼り、その他任意の形態にシールすることによって設けられ、あるいは、底面部２６の大きさの別のシート（図示せず）を正面部２３、背面部２４及び一対の側面部２５の各底縁にシールして設けられる。
【００３２】
いずれのサイドガセット付き包装袋も、一対の柱状部２２，２２の間で正面部２３と底面部２６との境界及び／又は背面部２４と底面部２６との境界に外向きに突出した鍔状部２７が設けられる。底面部２６を別のシートでシールしたサイドガセット付き包装袋を除き、この鍔状部２７は重なり合っているシート１の裏面同士がシールされていることが好ましいが、重なり合っただけとしてもよい。そして、サイドガセット付き包装袋は、開口された上端部から被包装物Ａが収納され、上端部がシールされることにより、サイドガセット付き包装体となる。
【００３３】
このサイドガセット付き包装体も、第１の実施形態において説明したピロー包装体と同様、外向きに突出した鍔状部２７が設けられていることにより、押し倒すような力が生じても、鍔状部２７が支えとなり、また、底面部２６が立ち上がろうとする作用が生じないことにより、傾倒することなく自立し続ける。
【００３４】
なお、本発明は、前記の実施形態に限定することなく特許請求の範囲に記載した技術的事項の範囲内において種々変更することができる。第１の実施形態のピロー包装体を製袋するためのピロー包装用原反１００は、シート１０１を折り込んで折込部１１３を形成するのでなく、帯状のテープ（図示せず）をシート１０１に貼付して、ピロー包装体の柱状部２２を形成することもできる。
【００３５】
また、同様に第２の実施形態のサイドガセット付き包装袋においても、正面部２３と側面部２５との境界及び背面部２４と側面部２５との境界に帯状のテープ（図示せず）を貼付してもよい。帯状のテープは、側面部１５，２５に貼付してもよく、また、シート１０１，１の裏面に貼付してもよい。さらに、第１、第２の両実施形態のサイドガセット付き包装袋とも、有底四角筒状に限定することなく、任意の多角形の有底筒状に形成することができる。
【図面の簡単な説明】
【００３６】
【図１】本発明に係る第１の実施形態のピロー包装体であって、（ａ）は下から見た斜視図、（ｂ）は側面図である。
【図２】本発明に係る第１の実施形態のピロー包装体の変形例であって、（ａ）は下から見た斜視図、（ｂ）は側面図である。
【図３】本発明に係る第１の実施形態のピロー包装体のさらに異なる変形例であって、（ａ）は下から見た斜視図、（ｂ）は側面図である。
【図４】本発明に係るピロー包装体を製造するためのピロー包装用原反であって、（ａ）は斜視図、（ｂ）は正面図である。
【図５】本発明に係る第１の実施形態のピロー包装体を製造している途中のピロー包装用原反であって、（ａ）は底面図、（ｂ）は変形例を示す底面図である。
【図６】本発明に係る第２の実施形態のサイドガセット付き包装袋であって、（ａ）は斜視図、（ｂ）は側面図である。
【図７】本発明に係る第２の実施形態のサイドガセット付き包装体の底面図である。
【符号の説明】
【００３７】
１０……        本体
１２……        柱状部
１３……        正面部
１４……        背面部
１５……側面部
１６……        底面部
１７……        鍔状部
２０……本体
２２……柱状部
２３……正面部
２４……背面部
２５……側面部
２６……底面部
２７……鍔状部
１１０…        襞部
【図１】
2009132413.tif 000003
【図２】
2009132413.tif 000004
【図３】
2009132413.tif 000005
【図４】
2009132413.tif 000006
【図５】
2009132413.tif 000007
【図６】
2009132413.tif 000008
【図７】
2009132413.tif 000009